(57)【特許請求の範囲】
【請求項１】
所定間隔をおいて配置される一端部及び他端部と、前記一端部と前記他端部とを連結するとともにレンズ鏡胴が挿入されるリング本体と、前記一端部と前記他端部とを連通するネジ穴に挿入される固定用ネジとを有し、前記固定用ネジを締め付けると前記一端部と前記他端部とが接近し前記リング本体の径が減少して前記レンズ鏡胴に固定され、前記固定用ネジを緩めると前記一端部と前記他端部とが離れ前記リング本体の径が増加して前記固定が解除されるように構成された光学オプション取付リングにおいて、
前記リング本体内周面よりも内側に突出し前記レンズ鏡胴の先端が当接する当接面及び該当接面上端に連続する円弧部を有し、前記リング本体にレンズ鏡胴を挿入し所定位置まで移動させる際に前記レンズ鏡胴の先端が前記当接面に当接しかつ該レンズ鏡胴の先端が前記当接面上を相対的に移動することで回転させられて前記当接面及び前記円弧部が前記リング本体内周面よりも外側に位置する回転体と、
前記回転体が前記回転方向とは逆方向に回転するように該回転体に対して付勢力を付与する弾性部材と、
前記一端部又は前記他端部の少なくとも一方に当接することにより前記弾性部材の付勢力による回転を規制するストッパと、
を備えることにより、前記リング本体に前記レンズ鏡胴を挿入し所定位置まで移動させると、前記回転体が前記弾性部材の付勢力により回転させられて前記当接面及び前記円弧部が前記レンズ鏡胴に形成された溝内に位置することを特徴とする光学オプション取付リング。
【請求項２】
前記回転体には前記固定用ネジが挿通される開口が形成されており、該回転体は前記一端部と前記他端部との間に配置され、かつ、前記固定用ネジが挿通されて回転可能に保持されていることを特徴とする請求項１に記載の光学オプション取付リング。
【請求項３】
前記回転体は、前記当接面下端に連続する前記円弧部よりも小径の小円弧部を有することを特徴とする請求項１又は２に記載の光学オプション取付リング。
【発明の詳細な説明】
【技術分野】
【０００１】
本発明は、光学オプション取付リングに係り、特に固定用ネジを締め付けるまでの間も抜け落ちを防止することができる光学オプション取付リングに関する。
【背景技術】
【０００２】
従来、レンズ鏡胴にワイドコンバーターやテレコンバーター等を装着するための光学オプション取付リングが知られている（例えば特許文献１参照）。
【０００３】
この特許文献１に記載の光学オプション取付リングについて図面を参照しながら説明する。図９に示すように、この光学オプション取付リング１０´は、所定間隔をおいて配置される一端部２１´及び他端部２２´と、一端部２１´と他端部２２´とを連結するとともにレンズ鏡胴（図示せず）が挿入されるリング本体２０´と、一端部２１´と他端部２２´とを連通するネジ穴２１ａ´、２２ａ´に挿入される固定用ネジ２３´とを有し、固定用ネジ２３´を締め付けると一端部２１´と他端部２２´とが接近しリング本体２０´の径が減少してレンズ鏡胴に固定され、固定用ネジ２３´を緩めると一端部２１´と他端部２２´とが離れリング本体２０´の径が増加してその固定が解除されるように構成されている。
【０００４】
図９に示すように、この光学オプション取付リング１０´の一端部２１´と他端部２２´は傾斜しており、固定用ネジ２３´を締め付けると他端部２２´の一部２２ｂ´が一端部２１´の傾斜面に沿って移動しリング本体２０´内周面２０ａ´よりも内側に突出しレンズ鏡胴に形成された溝（図示せず）内に位置する（係合する）ようになっている。これにより、かりに固定用ネジ２３´が緩んだ場合であっても、光学オプション取付リング１０´がレンズ鏡胴から抜け落ちないようになっている。
【特許文献１】特開２００４−２７１８９２号公報
【発明の開示】
【発明が解決しようとする課題】
【０００５】
しかしながら、特許文献１に記載の光学オプション取付リング１０´においては、固定用ネジ２３´を締め付けなければ、他端部２２´がレンズ鏡胴に形成された溝内に位置（係合）しないようになっているため、固定用ネジ２３´を締め付けるまでの間、光学オプション取付リング１０´の抜け落ちを防止することができないという問題がある。
【０００６】
本発明は、このような事情に鑑みてなされたものであり、固定用ネジを締め付けるまでの間も、光学オプション取付リングの抜け落ちを防止することを目的とする。
【課題を解決するための手段】
【０００７】
本発明は上記課題を解決するためになされたものであり、請求項１に記載の発明は、所定間隔をおいて配置される一端部及び他端部と、前記一端部と前記他端部とを連結するとともにレンズ鏡胴が挿入されるリング本体と、前記一端部と前記他端部とを連通するネジ穴に挿入される固定用ネジとを有し、前記固定用ネジを締め付けると前記一端部と前記他端部とが接近し前記リング本体の径が減少して前記レンズ鏡胴に固定され、前記固定用ネジを緩めると前記一端部と前記他端部とが離れ前記リング本体の径が増加して前記固定が解除されるように構成された光学オプション取付リングにおいて、前記リング本体内周面よりも内側に突出し前記レンズ鏡胴の先端が当接する当接面及び該当接面上端に連続する円弧部を有し、前記リング本体にレンズ鏡胴を挿入し所定位置まで移動させる際に前記レンズ鏡胴の先端が前記当接面に当接しかつ該レンズ鏡胴の先端が前記当接面上を相対的に移動することで回転させられて前記当接面及び前記円弧部が前記リング本体内周面よりも外側に位置する回転体と、前記回転体が前記回転方向とは逆方向に回転するように該回転体に対して付勢力を付与する弾性部材と、前記一端部又は前記他端部の少なくとも一方に当接することにより前記弾性部材の付勢力による回転を規制するストッパと、を備えることにより、前記リング本体に前記レンズ鏡胴を挿入し所定位置まで移動させると、前記回転体が前記弾性部材の付勢力により回転させられて前記当接面及び前記円弧部が前記レンズ鏡胴に形成された溝内に位置することを特徴とする。
【０００８】
請求項１に記載の発明によれば、リング本体にレンズ鏡胴を挿入し所定位置（装着予定位置）まで移動させると、回転体が弾性部材の付勢力により逆回転させられて当接面及び円弧部がレンズ鏡胴に形成された溝内に位置する。すなわち、円弧部が溝に係合した状態となる。したがって、固定用ネジを締め付けるまでの間も、光学オプション取付リングの抜け落ちを防止することが可能となる。
【０００９】
請求項２に記載の発明は、請求項１に記載の発明において、前記回転体には前記固定用ネジが挿通される開口が形成されており、該回転体は前記一端部と前記他端部との間に配置され、かつ、前記固定用ネジが挿通されて回転可能に保持されていることを特徴とする。
【００１０】
請求項２に記載の発明によれば、固定用ネジを回転体の回転軸として兼用しているので、別途回転体の回転軸を設ける必要がない。
【００１１】
請求項３に記載の発明は、請求項１又は２に記載の発明において、前記回転体は、前記当接面下端に連続する前記円弧部よりも小径の小円弧部を有することを特徴とする。
【００１２】
請求項３に記載の発明によれば、比較的簡易に回転体を構成することが可能となる。
【発明の効果】
【００１３】
本発明によれば、固定用ネジを締め付けるまでの間も、光学オプション取付リングの抜け落ちを防止することが可能となる。
【発明を実施するための最良の形態】
【００１４】
以下添付図面に従って本発明に係る光学オプション取付リングの好ましい実施の形態について説明する。
【００１５】
図１及び図２は、本発明に係る光学オプション取付リングの構成を説明するための図である。
【００１６】
図１に示すように、光学オプション取付リング１０は、ワイドコンバーターやテレコンバーター等の光学オプションＯＰをレンズ鏡胴３０に装着するためのものである。図２に示すように、光学オプション取付リング１０は、所定間隔をおいて配置される一端部２１及び他端部２２、この一端部２１と他端部２２とを連結するリング本体２０を備えている。
【００１７】
リング本体２０の内径はレンズ鏡胴３０（の先端部）の外径よりも若干大きく設定されており、リング本体２０にレンズ鏡胴３０を挿入し所定位置（装着予定位置）まで移動させることが可能となっている。
【００１８】
図２に示すように、一端部２１と他端部２２には両者を連通するネジ穴２１ａ、２２ａが形成されている。このネジ穴２１ａ、２２ａには固定用ネジ２３が挿入される。
【００１９】
一端部２１のネジ穴２１ａは、大径穴２１ａ１、この大径穴２１ａ１に連続する段差部２１ａ２、この段差部２１ａ２に連続する小径穴２１ａ３により構成されている。ネジ穴２１ａに固定用ネジ２３が挿入されると、そのネジ本体２３ａが大径穴２１ａ１に位置し、ネジ本体２３ａの一端に形成されたネジ部２３ｂが小径穴２１ａ３に位置する。なお、ネジ本体２３ａとネジ部２３ｂとの境界部には段差部２３ｃが形成されており、ネジ穴２１ａに固定用ネジ２３が挿入されると、この段差部２３ｃとネジ穴２１ａの段差部２１ａ２とが当接するので、それ以上固定用ネジ２３を挿入できないようになっている。一方、他端部２２のネジ穴２２ａには、固定用ネジ２３のネジ部２３ｂが螺合するネジ溝が形成されている。
【００２０】
したがって、固定用ネジ２３を締め付ける方向に固定用ネジ２３のツマミ部２３ｄを回転させると、一端部２１と他端部２２とが相対的に接近しリング本体２０の径が減少することになる。これにより、光学オプション取付リング１０はレンズ鏡胴３０に固定される。
【００２１】
一方、固定用ネジ２３を緩める方向に固定用ネジ２３のツマミ部２３ｄを回転させると、一端部２１と他端部２２とが相対的に離れリング本体２０の径が増加することになる。これにより、光学オプション取付リング１０はもとの径に戻る。すなわち、レンズ鏡胴３０への固定が解除される。
【００２２】
次に、上記構成の光学オプション取付リング１０がレンズ鏡胴から抜け落ちるのを防止するための構成について説明する。
【００２３】
この抜け落ち防止のために光学オプション取付リング１０は、抜け落ち防止部材４０（本発明の回転体に相当）を備えている。
【００２４】
抜け落ち防止部材４０は、例えば、ポリアセタール樹脂(POM)やテフロン（登録商標）、あるいはその他の合成樹脂等により形成することが考えられる。
【００２５】
図１に示すように、抜け落ち防止部材４０はプレート状の部材であり、レンズ鏡胴３０の挿入に際してその先端３１が当接する当接面４１を備えている。当接面４１の上端には大径部４２（本発明の円弧部に相当）が連続して設けられており、当接面４１の下端には小径部４３が連続して設けられている。
【００２６】
図３に示すように、抜け落ち防止部材４０は、一端部２１と他端部２２との間に配置され、その中心に形成された開口４４に固定用ネジ２３が挿通されることにより、固定用ネジ２３を中心に回転可能に保持されている。このように、固定用ネジ２３を抜け落ち防止部材４０の回転軸として兼用しているので、別途抜け落ち防止部材４０の回転軸を設ける必要がない。
【００２７】
抜け落ち防止部材４０と他端部２２とは弾性部材Ｂ（例えばコイルバネの一部）で連結されている。この弾性部材Ｂは、抜け落ち防止部材４０に対して図１中反時計回りに回転するように付勢力を付与するためのものである。しかしながら、抜け落ち防止部材４０にはストッパ４５が設けられており、このストッパ４５が一端部２１及び他端部２２に当接するので、弾性部材Ｂによる抜け落ち防止部材４０の回転が規制される。図４に示すように、ストッパ４５が一端部２１及び他端部２２に当接した状態で、大径部４２（及び当接面４１）は、リング本体２０内周面２０ａよりも内側に突出する。すなわち、大径部４２の半径は、抜け落ち防止部材４０の回転中心からリング本体２０内周面２０ａまでの距離ｈよりも大きく設定されている。
【００２８】
一方、リング本体２０にレンズ鏡胴３０を挿入し所定位置（装着予定位置）まで移動させる際には、レンズ鏡胴３０の先端３１が当接面４１に当接し、かつ、レンズ鏡胴３０の先端３１が当接面４１上を相対的に移動する。これにより、抜け落ち防止部材４０は図４中時計回りに回転させられて、図５に示すように、大径部４２（及び当接面４１）はリング本体２０内周面２０ａよりも外側に位置する。このとき、小径部４３は、リング本体２０内周面２０ａよりも外側に位置しており、リング本体２０内周面２０ａよりも内側に突出しない。すなわち、小径部４３の半径は、抜け落ち防止部材４０の回転中心からリング本体２０内周面２０ａまでの距離ｈよりも小さく（又は同じに）設定されている。
【００２９】
次に、リング本体２０を所定位置（装着予定位置）まで移動させると（すなわち当接面４１がレンズ鏡胴の溝３２に達すると）、抜け落ち防止部材４０は弾性部材の付勢力により図５中反時計回りに回転させられるとともに、ストッパ４５が一端部２１及び他端部２２（なお一端部２１又は他端部２２の一方でもよい）に当接しその回転が規制される。これにより、図６に示すように、大径部４２（及び当接面４１）は、リング本体２０内周面２０ａよりも内側に突出する。すなわち、大径部４２（及び当接面４１）がレンズ鏡胴３０に形成された溝３２内に位置し、大径部４２が溝３２に係合した状態となる。これにより、固定用ネジ２３を締め付けるまでの間、光学オプション取付リング１０の抜け落ちを防止することが可能となる。
【００３０】
なお、ストッパ４５に指を引っかけて操作し、抜け落ち防止部材４０を図６中時計回りに回転させて、図７に示すように、大径部４２（及び当接面４１）をリング本体２０内周面２０ａよりも外側に位置させることで、光学オプション取付リング１０を取り外すことが可能である。ストッパ４５は、リング本体２０の回転規制を行うとともに取付リング１０をレンズ鏡胴３０から取り外す際の解除操作部材として兼用している。
【００３１】
以上説明したように、本実施形態の光学オプション取付リング１０によれば、リング本体２０にレンズ鏡胴３０を挿入し所定位置（装着予定位置）まで移動させると、抜け落ち防止部材４０が弾性部材の付勢力により時計回りに回転させられて大径部４２（及び当接面４１）がレンズ鏡胴３０に形成された溝３２内に位置する。すなわち、大径部４２が溝３２に係合した状態となる。したがって、固定用ネジ２３を締め付けるまでの間、光学オプション取付リング１０の抜け落ちを防止することが可能となる。
【００３２】
なお、上記実施形態では、抜け落ち防止部材４０は、大径部４２と小径部４３とを備えているように説明したが、本発明はこれに限定されない。小径部４３は、図５に示すように、抜け落ち防止部材４０が回転させられたときに、リング本体２０内周面２０ａより内側に突出しない形状であればよいのであって、例えば、図８に示すように、矩形の部材を小径部４３に代えて用いることが可能である。
【００３３】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３４】
【図１】本発明に係る光学オプション取付リングの構成を説明するための図である。
【図２】本発明に係る光学オプション取付リングの構成を説明するための図である。
【図３】抜け落ち防止部材の構成を説明するための図である。
【図４】抜け落ち防止部材の構成を説明するための図である。
【図５】抜け落ち防止部材の構成を説明するための図である。
【図６】抜け落ち防止部材の構成を説明するための図である。
【図７】抜け落ち防止部材の構成を説明するための図である。
【図８】抜け落ち防止部材の変形例を説明するための図である。
【図９】従来の光学オプション取付リングの構成を説明するための図である。
【符号の説明】
【００３５】
１０…光学オプション取付リング、２０…リング本体、２０ａ…内周面、２１…一端部、２１ａ…ネジ穴、２１ａ１…大径穴、２１ａ２…段差部、２１ａ３…小径穴、２２…他端部、２２ａ…ネジ穴、２３…固定用ネジ、２３ａ…ネジ本体、２３ｂ…ネジ部、２３ｃ…段差部、２３ｄ…ツマミ部、３０…レンズ鏡胴、３１…先端、３２…溝、４０…抜け落ち防止部材、４１…当接面、４２…大径部、４３…小径部、４４…開口、４５…ストッパ、Ｂ…弾性部材、ＯＰ…光学オプション
【図１】
0004687899.tif 000002
【図２】
0004687899.tif 000003
【図３】
0004687899.tif 000004
【図４】
0004687899.tif 000005
【図５】
0004687899.tif 000006
【図６】
0004687899.tif 000007
【図７】
0004687899.tif 000008
【図８】
0004687899.tif 000009
【図９】
0004687899.tif 000010